(57)【要約】【課題】  照明ムラを抑制して、文字板のデザインの自由度を向上させることが出来るメータ照明構造を提供する。【解決手段】  目盛り部１１は、文字板１０の延設部１０ａ，１０ａの上まで、左，右下端部が延設された延長目盛り部１１ａ，１１ａが設けられている。  この文字板１０の裏面側には、複数のＬＥＤ照明等によって構成される光源５…が設けられている。  反射部材１３は、主に、指針１４を回動駆動させる図示省略のムーブメントの下縁に沿って水平に設けられる水平壁部１３ａと、この水平壁部１３ａの左，右端から直角に屈折されて、外周方向に向けて延設される左，右内側壁部１３ｂ，１３ｂとを有している。【選択図】  図１
2005257294.tif 000002
【特許請求の範囲】
【請求項１】
文字板の裏面側に設けられた光源の照明光を、反射することにより、該文字板の裏面側から照明する反射部材を有するメータ照明構造であって、
前記反射部材の左，右内側壁部を、外周方向に向けて平行となるように、垂下させると共に、該反射部材の円弧状の外周壁部を鋭角に交差させて連結することにより、前記左，右内側壁部と、該外周壁部とによって囲まれた鋭角袋状部を形成すると共に、該鋭角袋状部では、前記光源を、前記左，右内側壁部又は、前記外周壁部の内側面に反射した照明光が、これらの左，右内側壁部及び、外周壁部が交差する位置まで到達するように配置していることを特徴とするメータ照明構造。 
【発明の詳細な説明】
【技術分野】
【０００１】
本発明は、車両用のメータ照明構造に関し、特に、文字板の明度ムラを低減させることが出来るメータ照明構造に関するものである。
【背景技術】
【０００２】
従来のメータ照明構造として、図２及び図３に示すようなものが知られている（例えば、特許文献１等参照）。
【０００３】
まず、構成から説明するとこのような従来のメータ照明構造では、計器としての車両用メータ１のハウジング２内には、反射部材４が設けられている。
【０００４】
この反射部材４は、主に、光源５を挿通する光源孔４ａを有する底面部４ｂの周囲に設けられて、略ハの字状に拡開する左，右内側壁部４ｃ，４ｃと、文字板３の外側縁３ａに沿って、円弧状に形成される外周壁部４ｄとによって、外周縁が囲まれている。
【０００５】
そして、これらの左，右内側壁部４ｃ，４ｃの下端と、前記外周壁部４ｄの左，右両下端とは、なだらかな曲線部４ｅ，４ｅによって、連結されている。
【０００６】
また、前記文字板３の裏面側には、拡散板６が設けられていて、前記外周壁部４ｄの上端縁４ｆよりも一段高く形成された前記左，右内側壁部４ｃ，４ｃの上端縁４ｇ，４ｇを裏面側から当接させるように構成されている。
【０００７】
次に、この従来のメータ照明構造の作用について説明する。
【０００８】
このように構成された図３に示す従来のメータ照明構造では、前記文字板３の裏面側に設けられた拡散板６に、前記外周壁部４ｄの上端縁４ｆよりも一段高く形成された前記左，右内側壁部４ｃ，４ｃの上端縁４ｇ，４ｇが裏面側から当接される。
【０００９】
このため、外周壁部４ｄの上端縁４ｆと、前記拡散板６の裏面側との間には、組み付けられた状態で、一定の隙間が形成されて、放熱が行われる。
【００１０】
また、この拡散板６の裏面側に、前記左，右内側壁部４ｃ，４ｃの上端縁４ｇ，４ｇが当接するので、左，右内側壁部４ｃ，４ｃ間に位置する図示省略のムーブメント等に、前記光源５の熱が直接、当たることがない。
【特許文献１】特許３３０２６０５号公報（第１図，００１１段落乃至００２４段落）
【発明の開示】
【発明が解決しようとする課題】
【００１１】
しかしながら、図２に示すようなメータ照明構造では、略ハの字状に拡開する左，右内側壁部４ｃ，４ｃと、文字板３の外側縁３ａに沿って、円弧状に形成される外周壁部４ｄとが、交差する入隅部７では、光源５の照明光ａ，ｂが、各外側壁部４ｄ又は、内側壁部４ｃに反射しても、反射方向が、対向する方向であり、先端まで到達せず、良好な明度を有して到達しないといった問題があった。
【００１２】
このため、図３に示すように、入隅部７，７に対応する文字板３の表面には、目盛り表示や文字表示等を設けないで、照明を不要とする部分とする等、しなければならず、デザインの自由度が低下してしまうといった問題があった。
【００１３】
そこで、本発明は、照明ムラを抑制して、文字板のデザインの自由度を向上させることが出来るメータ照明構造を提供することを目的としている。
【課題を解決するための手段】
【００１４】
前記目的を達成するために、請求項１の発明は、文字板の裏面側に設けられた光源の照明光を、反射することにより、該文字板の裏面側から照明する反射部材を有するメータ照明構造であって、
前記反射部材の左，右内側壁部を、外周方向に向けて平行となるように、垂下させると共に、該反射部材の円弧状の外周壁部を鋭角に交差させて連結することにより、前記左，右内側壁部と、該外周壁部とによって囲まれた鋭角袋状部を形成すると共に、該鋭角袋状部では、前記光源を、前記左，右内側壁部又は、前記外周壁部の内側面に反射した照明光が、これらの左，右内側壁部及び、外周壁部が交差する位置まで到達するように配置しているメータ照明構造を特徴としている。
【発明の効果】
【００１５】
このように構成された請求項１のものは、前記光源の照明光が、前記鋭角袋状部の中で、前記左，右内側壁部又は、前記外周壁部の内側面によって、反射されて、これらの左，右内側壁部及び、外周壁部が交差する先端位置まで到達する。
【００１６】
このため、文字板上でも、これらの左，右内側壁部及び、外周壁部が交差する先端位置まで、目盛り表示や文字表示等を設けて、照明を行うことが出来る。
【００１７】
従って、文字板全体で、照明ムラを抑制しつつ、文字板のデザインの自由度を向上させることが出来る。
【発明を実施するための最良の形態】
【００１８】
以下、本発明の最良の実施の形態について図面を参照して説明する。
【００１９】
なお、前記従来例と同一乃至均等な部分については、同一符号を付して説明する。
【００２０】
図１は、本実施の形態によるメータ照明構造を示している。
【００２１】
まず、構成から説明すると、このような本実施の形態のメータ照明構造では、計器としての車両用メータ１０１では、文字板１０の表面には、目盛り部１１，１２が、印刷等によって設けられている。
【００２２】
このうち、目盛り部１１は、文字板１０の延設部１０ａ，１０ａの上まで、左，右下端部が延設された延長目盛り部１１ａ，１１ａが設けられている。
【００２３】
この文字板１０の裏面側には、複数のＬＥＤ照明等によって構成される光源５…が設けられている。
【００２４】
この光源５…は、各々この文字板１０の裏面側に設けられた反射部材１３によって支持されている。この反射部材１３は、前記光源５…の照明光を、反射することにより、前記文字板１０の裏面側から、この文字板１０を照明するように構成されている。
【００２５】
すなわち、この反射部材１３は、主に、指針１４を回動駆動させる図示省略のムーブメントの下縁に沿って水平に設けられる水平壁部１３ａと、この水平壁部１３ａの左，右端から直角に屈折されて、外周方向に向けて延設される左，右内側壁部１３ｂ，１３ｂとを有している。
【００２６】
この実施の形態の前記左，右内側壁部１３ｂ，１３ｂは、外周方向に向けて平行となるように、垂下されて、前記水平壁部１３ａと共に、正面視略門型に形成されている。
【００２７】
また、この反射部材１３には、左，右内側壁部１３ｂ，１３ｂが、外周方向に向けて平行となるように、垂下された先端と交差されて連結されるように、円弧状の外周壁部１３ｃ，１３ｃが設けられている。
【００２８】
そして、これらの左，右内側壁部１３ｂ，１３ｂと、円弧状の外周壁部１３ｃ，１３ｃの左，右両先端１３ｄ，１３ｄとが、鋭角に交差させて連結される部分の内側に、前記左，右内側壁部１３ｂ，１３ｂと、この外周壁部１３ｃ，１３ｃとによって囲まれた鋭角袋状部１５，１５が形成されている。
【００２９】
この実施の形態では、前記光源５の配置を、前記左，右内側壁部１３ｂ，１３ｂ又は、前記外周壁部１３ｃの内側面に反射した照明光が、これらの左，右内側壁部１３ｂ，１３ｂ及び、外周壁部１３ｃが交差する前記鋭角袋状部１５，１５の先端位置まで到達するように、左，右内側壁部１３ｂ，１３ｂ及び、外周壁部１３ｃから略等距離となる略中央位置に配置されている。
【００３０】
次に、この実施の形態のメータ照明構造の作用について説明する。
【００３１】
この実施の形態のメータ照明構造は、図１中矢印に示すように、前記光源５の照明光が、前記鋭角袋状部１５の中で、前記左，右内側壁部１３ｂ，１３ｂ又は、前記外周壁部１３ｃの内側面によって、反射されて、これらの左，右内側壁部１３ｂ，１３ｂ及び、外周壁部１３ｃが、交差する鋭角袋状部１５，１５の先端位置まで到達する。
【００３２】
このため、文字板１０の上面でも、これらの左，右内側壁部１３ｂ，１３ｂ及び、外周壁部１３ｃが交差する先端位置まで、目盛り表示１１を延長した延長目盛り部１１ａ，１１ａとしたり、他の文字表示等を設けても、これらの表示の裏面側から、文字板全体で、照明ムラが、抑制された略均質な照明を行うことが出来る。
【００３３】
従って、文字板全体で、照明ムラを抑制しつつ、文字板のデザインの自由度を向上させることが出来る。
【００３４】
また、この実施の形態では、前記左，右内側壁部１３ｂ，１３ｂは、外周方向に向けて平行となるように、垂下されて、前記水平壁部１３ａと共に、正面視略門型に形成されている。
【００３５】
このため、これらの左，右内側壁部１３ｂ，１３ｂ及び水平壁部１３ａに囲まれた空間が、略方形となり、長方形形状の液晶表示パネル装置等を配置しやすい。
【００３６】
以上、図面を参照して、本発明の最良の実施の形態を詳述してきたが、具体的な構成は、この実施の形態に限らず、本発明の要旨を逸脱しない程度の設計的変更は、本発明に含まれる。
【００３７】
例えば、前記実施の形態では、前記光源５を、各左，右の前記鋭角袋状部１５，１５内に設けるように構成したが、特にこれに限らず、複数の光源５，５を、前記鋭角袋状部１５，１５内に各々配置する等、左，右内側壁部１３ｂ，１３ｂ又は、前記外周壁部１３ｃの内側面に反射した照明光が、これらの左，右内側壁部１３ｂ，１３ｂ及び、外周壁部１３ｃが交差する前記鋭角袋状部１５，１５の先端位置まで到達する配置であるならば、光源５の形状、数量、及び発光性質が限定されるものではない。
【図面の簡単な説明】
【００３８】
【図１】本発明の最良の実施の形態のメータ照明構造を示し、全体の構成を説明するメータの文字板の正面図である。
【図２】従来のメータ照明構造を示し、全体の構成を説明するメータの文字板の正面図である。
【図３】従来例のメータ照明構造で、全体の構成を説明する分解斜視図である。
【符号の説明】
【００３９】
１０１                          車両用メータ（計器）
１３                            反射部材
１３ｂ，１３ｂ                  （左，右）内側壁部
１３ｃ                          外周壁部
１５                            鋭角袋状部
【図１】
2005257294.tif 000003
【図２】
2005257294.tif 000004
【図３】
2005257294.tif 000005